(57)【要約】【課題】  記録媒体、特に普通紙における印字後カールを充分抑制でき、かつインクの保存安定性、インクジェット吐出安定性についても十分な性能が得られるインクを提供する。【解決手段】  少なくとも水、着色剤を含むインクジェット用インクに一般式（１）で表される化合物を含有させたインクを使用してインクジェット記録を行うことである。【化１】2005139385.tif 000008  （一般式（１）において、Ｒは【化２】2005139385.tif 000009を示す。）【選択図】  なし【特許請求の範囲】
【請求項１】
少なくとも水と、着色剤と、を含むインクであって、さらに下記一般式（１）で表される化合物を含有することを特徴とするインク。
【化１】
2005139385.tif 000006
（一般式（１）において、Ｒは
【化２】
2005139385.tif 000007
を示す。）
【請求項２】
前記インクがさらに多価アルコールを含有することを特徴とする請求項１に記載のインク。
【請求項３】
前記多価アルコールの分子量Ｍｗが１００≦Ｍｗ≦１５０である、請求項２記載のインク。
【請求項４】
インクジェット記録用である請求項１〜３のいずれかに記載のインク。
【請求項５】
請求項４に記載のインクを被記録媒体に吐出させて画像の記録を行う工程を有するインクジェット記録方法。
【請求項６】
インクジェット記録法によってインクを被記録媒体に向けて吐出し、画像形成する工程を有し、且つ、該インクが請求項４に記載のインクジェット記録用インクであること特徴とする被記録媒体のカール低減方法。
【発明の詳細な説明】
【技術分野】
【０００１】
本発明はインクを吐出させて画像の記録を行う、インクジェット記録方法に用いることのできるインク及びそれを用いた記録方法に関するものである。
【背景技術】
【０００２】
インクジェット方式は、種々の作動原理よりインクの微小液滴を飛翔させて被記録媒体(紙など)に付着させ、画像や文字などの記録を行う記録方式であり、高速、低騒音、多色化が容易、記録パターンの融通性が高い、現像および定着が不要などの特徴があり、様々な用途において急速に普及している。更に、近年はフルカラーの多色インクジェット記録方式技術が発達し、製版方式による多色印刷や、カラー写真方式による印画と比較して、遜色のない多色画像を形成することも可能であり、作成部数が少ない場合には通常の多色印刷や印画よりも安価に印刷物が得られる。よって、フルカラー画像記録分野まで広く応用されつつあり、記録の高速化、高精細化、フルカラー化等の記録特性向上の要求に伴って、インクジェット記録装置及び記録方法の改良が行われてきている。インクジェット記録方式を応用したプリンター等の画像形成装置は様々な使用環境で用いられるため、記録安定性も重要になり、耐久性の向上もインクの特性として求められている。
【０００３】
インクジェット記録方法で記録する際の被記録媒体としては普通紙、コート紙、光沢紙、ＯＨＰシート、バックプリントフィルムなど様々なものが市販されているが、一般のオフィスでのビジネス用途では低価格の普通紙を用いることが多い。この際の要求特性としては前述した特性を満足しながら、紙が多くのインクを付与された際に生じるカール(紙が反る、丸まる)現象を緩和、抑制することが挙げられる。ここでは印字中のカールはもとより、印字後、水分が乾燥、蒸発して起こる印字後カールの緩和、抑制が重要になってくる。
【０００４】
インクジェットで印字した記録物の使用については多岐に渡っており、カールした紙は積み重ねたりファイリングした際に丸まったり、平坦性を保てないために様々な不具合を生じることがある。また、ＯＨＰの発表用原稿の試し印刷を価格の安い普通紙を用いて行うこともあり、その際に図や写真、更には背景などを青などの２次色で印字すると、紙が反ることにより取扱いに困ることがある。
【０００５】
カールが起きる現象は水分の付与が大きく起因しており、印字面積が広い場合、更には印字の際のインク付与量が大きい際に著しくカールが起こることが分かっている。
【０００６】
このカールを緩和、抑制する方法として、従来幾つかの方法が提案されている。例えば、分子構造中に水酸基を４個以上有し、水または水性有機溶媒に溶解な固体物質を含む、インクジェット用インクが提案されている(例えば、特許文献１参照。)。また、糖類などのカール防止剤を含有するインクが提案されている(例えば、特許文献２参照。)。また、糖類、糖アルコール類を含有するインクが提案されている(例えば、特許文献３、４参照。)。また、カール防止剤として特定のアミド化合物を含有するインクが提案されている(例えば、特許文献５参照。)。また、特定の多価アルコールとグリセリンを組み合わせて含有するインクが提案されている(例えば、特許文献６参照。)。また、溶媒、高分子バインダ、媒染剤、水溶性カール防止化合物、水溶性糊抜き化合物、耐光性化合物、消泡剤などを含むインクが提案されている(例えば、特許文献７参照。)。
【０００７】
しかしながら、これらの方法ではカールをある程度抑制することはできるが、得られる画像の画質低下、コゲ−ション、ノズルの目詰まり等、画像特性や印字における安定性においても改善の余地があった。
【０００８】
また、反応液とインク組成物とを別々に印字し、それぞれにカール防止の化合物を含有するインクが提案されている(例えば、特許文献８参照。)。ある種のポリオールを、反応液の多価金属の量よりも多くインクに入れているが、この方法ではカールの抑制が不十分であった。
【０００９】
さらに、インクジェット記録においてはさらなる高速化が進んでおり、高速印刷する際の吐出安定性や信頼性が重要になり、従って、インク自身の安定性、浸透性、粘度などの諸物性を得た上でカールを緩和・抑制することが重要になっている。
【特許文献１】特開平４−３３２７７５号公報
【特許文献２】特開平６−１５７９５５号公報
【特許文献３】特開平６−２４０１８９号公報
【特許文献４】特開平９−１６５５３９号公報
【特許文献５】特開平９−１７６５３８号公報
【特許文献６】特開平１０−１３０５５０号公報
【特許文献７】特開２０００−１９８２６７号公報
【特許文献８】特開平９−２０７４２４号公報
【発明の開示】
【発明が解決しようとする課題】
【００１０】
このような状況に鑑み、上述した従来技術の問題を解決し、カールを十分に抑制し、特に普通紙の印刷物を扱い易くすることを本発明の目的とする。また、本発明の他の目的は、インクの長期安定性とインクジェット記録における記録安定性が同時に得られ、特に高速印字において安定な記録特性が得られ、更には、良好な画像特性が得られるインジェット用インク及びそれを用いたインクジェット記録方法を提供することにある。
【課題を解決するための手段】
【００１１】
上記目的を達成するための本発明によれば、少なくとも水と、着色剤とを含むインクジェット用インクに下記一般式(１)で表される化合物(Ａ)を含有させたインクを使用してインクジェット記録を行うことである。
【００１２】
【化１】
2005139385.tif 000002
【００１３】
（一般式（１）において、Ｒは、それぞれ独立に
【００１４】
【化２】
2005139385.tif 000003
【００１５】
を示す。）
【発明の効果】
【００１６】
本発明によれば、普通紙へのインクジェット記録方法に関して、少なくとも水と、着色剤と、を含むインク組成物であって、さらに化合物(Ａ)を含有するインクを用いると、カールを十分に抑制し、特に普通紙の印刷物を扱い易くすることができる。また、インク組成物の長期安定性、記録安定性を同時に得られ、特に高速印字において安定な記録特性が得られる。更には画像特性の点について良好な特性を得ることができるインクジェット記録方法が提供される。
【発明を実施するための最良の形態】
【００１７】
以下、好適な実施の形態を挙げて本発明を詳細に説明する。
【００１８】
本発明者は、着色剤を含む水性インクを用いて画像形成を行う際、本発明における化合物(Ａ)をインク中に含有させると、記録媒体、特に普通紙における印字後カールを充分抑制でき、かつインクの保存安定性、インクジェット吐出安定性についても十分な性能が得られるという知見を得、本発明に至った。さらに、本発明のインクを被記録媒体に吐出させて、インクジェット記録方法により画像形成を行うと、カールの少ない記録物が得られ、更に、記録物を保存後も長期的にカールを抑制することができる。
【００１９】
以下に化合物(Ａ)の具体例、化合物(Ａ)のインク中での好適な含有量、化合物(Ａ)が記録後カールを抑制する推定メカニズムの順で説明する。
【００２０】
本発明において使用する化合物(Ａ)は、上述した一般式(１)で表される構造を有する化合物であり、ＵＳＰ６，３９２，００６Ｂ１に記載の化合物である。
【００２１】
化合物の添加量としては、インク中の質量百分率で３〜１５質量％、好ましくは５〜１０質量％である。添加量が３質量％より少ないと所望のカール抑制効果が得られにくく、また、添加量が１５質量％を超えるとインクの耐固着性能が低下し、その結果としてノズル目詰まりを起こしやすくなる。
【００２２】
また、本発明のインクに従来公知のカール防止剤を併用してもよい。従来公知のカール防止剤としては、トリメチロールプロパン、トリメチロールエタン、トリス(ヒドロキシメチル)アミノメタン、１，２，６−ヘキサントリオール、ジグリセリン、ジグリセリンのＥＯ付加物等がある。その他のカール防止剤の例として、糖類が挙げられ、Ｄ−型およびＬ‐型のフルクトース、タガトース、ソルポース、リボース、キシロース、アラビノース、リキソース、グルコース、マンノース、アロース、アルトロース、ギュロース、イドース、ガラクトース、タロース、グロース、マルトース、セロビオース、トレハロース、ゲンチオビオース、イソマルトース、ラクトース、スクロース、ショ糖、ラフィノース、ゲンチアノース、スタキオース、キシラン等、オリゴ糖類、環状オリゴ糖類、が挙げられる。更に、糖アルコールとしては、単糖、多糖アルコール類が挙げられ、例えば、テトリトール、Ｄ−エリトール、Ｌ−エリトール、Ｄ−アラビニトール、キシリトール、アドニトール、リビトール、Ｄ−ソルビトール、アリトール、Ｄ−マンニトール、Ｄ−イジトール、Ｄ−タリトール、ズルシトール、ヘプチトール、マルチトール等が挙げられる。これらの中でも、炭素数が５以上であるものが好適である。
【００２３】
更には１，７−ヘプタンジオール、トリプロピレングリコール、テトラエチレングリコール、ポリエチレングリコール、ポリプロピレングリコール等があげられる。
【００２４】
化合物(Ａ)がインク及び水性液体組成物に含有され、インクジェット記録方法によってカールの少ない記録物が得られ、更に、記録物が長期的にカールを抑制できる理由は以下であると考えられる。
【００２５】
まず、紙がインクジェット記録後にカールを起こす要因について述べる。紙は抄紙の際にマシンディレクションと紙面上で垂直なクロスディレクションにテンションをかけられたまま乾燥される。したがって、印字前の紙においてはクロスディレクションでのセルロース繊維間の水素結合位置はセルロース同士が最も安定な位置よりも伸びた状態の位置にある。紙に水分が付与される場合、セルロース繊維が水分を吸収して膨潤するために、紙のセルロース繊維間に形成されている水素結合が一度切断される。このようなセルロースの膨潤に引き続くセルロース間の水素結合の切断により、セルロース間に存在していたテンションが一度開放され、紙のサイズが増加する。この時、紙のサイズがＣＤ方向(クロスディレクション方向)に伸びているため、紙は水分を付与した面の反対側に反りカールする、すなわちマイナスカールを起こす。次に吸収したセルロース中の水分は次第に蒸発し、セルロースの収縮が始まるとともに、一旦切れた水素結合の再結合が起こる。セルロース繊維間の水素結合が再結合する際に、切れた位置で再結合せず、別の安定な位置、すなわち印字前よりも紙のサイズが小さくなるような位置で再結合するために、紙は水分を付与した面の方向に次第に反りカールする、すなわちプラスカールを起こす。このプラスカールが普通紙などにインクジェット記録を行った場合に問題となるのである。
【００２６】
本発明者は、この水分の付与−膨潤−マイナスカールの現象と蒸発−収縮−プラスカールの現象を解析し、特にインクと添加化合物の構造との組み合わせによって、いかにしてプラスカールを抑制するかを鋭意検討した結果、上記化合物(Ａ)をインク中に含有させることにより、該化合物が効果的に、繊維のセルロース間に入り込み、水素結合の再結合の際に、紙が収縮しやすい結合を引き起こし難くしていることを見出した。すなわち、上記化合物(Ａ)を用いることにより、水分の蒸発時に紙の伸縮がマイナスカールの方向に作用が働く事を見出した。また化合物は分子量が大きくいったん紙の繊維の間に入り込むと、再び紙が水分を吸ってもマイグレーションを起こしにくく、したがって、長期の紙のカール抑制に効果があるものと推定される。
【００２７】
この他、上記インクに多価アルコールを加えると、さらなるカール抑制効果が得られ、好ましい。さらに、多価アルコールは分子量Ｍｗが１００≦Ｍｗ≦１５０であると好ましい。
【００２８】
カール抑制効果と吐出特性を良好に保持するための、多価アルコールの添加量としては５質量％〜２０質量％が好ましい。このような多価アルコールの効果は印字直後から数時間で発生するカールを抑制する効果を有する。しかし、それよりも長い時間領域(５〜６時間から数週間)で発生するカールに対しては効果が小さい。これは、前記多価アルコールは分子サイズが小さく、先に述べた紙繊維間に入り込みやすい反面、長時間ではマイグレーションを起こす可能性があるのではないかと推察される。これに対して化合物(Ａ)は分子量が大きく、記録後５〜６時間後で発生するカールに対して効果があり、化合物(Ａ)と１００≦Ｍｗ≦１５０の多価アルコールの併用により、一層カール抑制効果が現れるものと推定している。このような多価アルコールの具体例としては、１，２−ヘキサンジオール、２−アミノ−２−メチル−１，３−プロパンジオール、２−アミノ−２−エチルー１，３−プロパンジオール、１，２，６−ヘキサントリオール、３−メチル−１，３，５−ペンタントリオール、１，２，４−ブタントリオール、等が挙げられ、好ましくは、１，５−ペンタンジオール、１，６−ヘキサンジオール、１，７−ヘプタンジオール、３−メチルー１，５−ペンタンジオールである。本発明では、これらの化合物の少なくとも１種または混合物を用いることができる。
【００２９】
また、本記録方法においてはフルべた印字して、１２００ｄｐｉ×１２００ｄｐｉ換算で印字密度(デューティ)の高い、すなわち、付与する水分量が多い場合でもカールの抑制効果が十分発揮される。具体的には多量の水分付与による紙中のセルロースの膨潤により引き起されるコックリング(しわ)を低減しようとした場合、インク付与にともなう水の付与量はＡ４用紙１枚に対して２．０ｇ以下にするのが好適である。また、記録インクに含まれる水分量としては、インク全量に対して、１０〜９０質量％が好ましく、本発明の効果をさらに発揮するためには３０〜８０質量％がより好ましい。
【００３０】
次に、本発明で使用される着色剤について述べる。記録するインクの着色剤は水溶性染料、水分散性顔料、およびそれらの組み合わせによって用いられる。
【００３１】
着色剤としてはブラック、シアン、イエロー、マゼンタの他、従来公知のオレンジ、グリーン、ブルーの染料、顔料も問題なく使用できる。
【００３２】
本発明で使用されるインクには、さらにこれに水(水としては種々のイオンを含有する一般の水ではなくイオン交換水(脱イオン水)を使用するのが好ましい)、水溶性有機溶媒、およびその他の成分、例えば粘度調整剤、ｐＨ調整剤、防かび剤、界面活性剤、酸化防止剤等が必要に応じて含まれる。
【００３３】
本発明において、色を記録する着色剤の染料としては一般にブラック、シアン、マゼンタ、イエローであり、アニオン性の水溶性染料が挙げられる。
【００３４】
本発明で使用されるアニオン性基を有する水溶性染料としては、カラーインデックス(COLOUR INDEX)に記載されている水溶性の酸性染料、直接染料、反応性染料であれば特に限定はない。また、カラーインデックスに記載のない染料であっても、アニオン性基、例えばスルホン基を有するものであれば特に制限はない。これらの染料はインク中に１〜１０重量％、好ましくは１〜５重量％の範囲で用いる。
【００３５】
具体的な染料としては、
Ｃ．Ｉ．ダイレクトイエロー  ８、１１、１２、２７、２８、３３、３９、４４、５０、５８、８５、８６、８７、８８、９８、１００、１１０
Ｃ．Ｉ．ダイレクトレッド  ２、４、９、１１、２０、２３、２４、３１、３９、４６、６２、７５、７９、８０、８３、８９、９５、１９７、２０１、２１８、２２０、２２４、２２５、２２６、２２７、２２８、２３０
Ｃ．Ｉ．ダイレクトブルー  １、１５、２２、２５、４１、７６、７７、８０、８６、９０、９８、１０６、１０８、１２０、１５８、１６３、１６８、１９９、２２６
Ｃ．Ｉ．アシッドイエロー  １、３、７、１１、１７、２３、２５、２９、３６、３８、４０、４２、４４、７６、９８、９９
Ｃ．Ｉ．アシッドレッド  ６、８、９、１３、１４、１８、２６、２７、３２、３５、４２、５１、５２、８０、８３、８７、８９、９２、９４、１０６、１１４、１１５、１３３、１３４、１４５、１５８、１９８、２４９、２６５、２８９
Ｃ．Ｉ．アシッドブルー  １、７、９、１５、２２、２３、２５、２９、４０、４３、５９、６２、７４、７８、８０、９０、１００、１０２、１０４、１１７、１２７、１３８、１５８、１６１
Ｃ．Ｉ．ダイレクトブラック  １７、１９、２２、３１、３２、５１、６２、７１、７４、１１２、１１３、１５４、１６８
Ｃ．Ｉ．アシッドブラック  ２、４８、５１、５２、１１０、１１５、１５６
Ｃ．Ｉ．リアクティブブラック  １、８、１２、１３
Ｃ．Ｉ．フードブラック  １、２
等が挙げられる。勿論以上に限定されるものではない。
【００３６】
また、前記以外に本発明に用いる色を記録するインクの色材として、可溶化基として、カルボキシル基を持つ染料が挙げられる。ここでは、ｐＨに対して溶解度の依存性を示す染料が挙げられる。これらの染料はインク中に１〜１０重量％、好ましくは１〜５重量％の範囲で用いる。
【００３７】
本発明において使用される顔料としては、具体的には、黒色のインクに使用されるものとしてカーボンブラックが挙げられる。カーボンブラックとしては、例えば、ファーネス法、チャネル法で製造されたカーボンブラックであって、一次粒子径が１５〜４０μｍ、ＢＥＴ法による比表面積が５０〜３００ｍ2／ｇ、ＤＢＰ吸油量が４０〜１５０ｍＬ／１００ｇ、揮発分が０．５〜１０％、ｐＨ値が２〜９等の特性を有するものが好ましく用いられる。この様な特性を有する市販品としては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、Ｎｏ．２２００Ｂ(以上三菱化成製)、ＲＡＶＥＮ  ｌ２５５(以上コロンビア製)、ＲＥＧＡＬ４００Ｒ、ＲＥＧＡＬ  ３３０Ｒ、ＲＥＧＡＬ  ６６０Ｒ、ＭＯＧＵＬ  Ｌ(以上キャボット製)、Ｃｏｌｏｒ  Ｂｌａｃｋ  ＦＷｌ、ＣＯＬＯＲ  ＢｌａｃｋＦＷｌ８、Ｃｏｌｏｒ  Ｂｌａｃｋ  Ｓｌ７０、Ｃｏｌｏｒ  Ｂｌａｃｋ  Ｓｌ５０、Ｐｒｉｎｔｅｘ  ３５、Ｐｒｉｎｔｅｘ  Ｕ(以上デグッサ製)等があり、いずれも好ましく使用することが出来る。
【００３８】
又、イエローインクに使用される顔料としては、例えば、Ｃ．Ｉ．Ｐｉｇｍｅｎｔ  Ｙｅｌｌｏｗ  １、Ｃ．Ｉ．Ｐｉｇｍｅｎｔ  Ｙｅｌｌｏｗ  ２、Ｃ．Ｉ．Ｐｉｇｍｅｎｔ  Ｙｅｌｌｏｗ  ３、Ｃ．Ｉ．Ｐｉｇｍｅｎｔ  Ｙｅｌｌｏｗ１３、Ｃ．Ｉ．Ｐｉｇｍｅｎｔ  Ｙｅｌｌｏｗ  １６、Ｃ．Ｉ．Ｐｉｇｍｅｎｔ  Ｙｅｌｌｏｗ７４、Ｃ．Ｉ．Ｐｉｇｍｅｎｔ  Ｙｅｌｌｏｗ８３、Ｃ．Ｉ．Ｐｉｇｍｅｎｔ  Ｙｅｌｌｏｗ  １２８等が挙げられ、
マゼンタインクに使用される顔料としては、例えば、Ｃ．Ｉ．Ｐｉｇｍｅｎｔ  Ｒｅｄ  ５、Ｃ．Ｉ．Ｐｉｇｍｅｎｔ  Ｒｅｄ  ７、Ｃ．Ｉ．Ｐｉｇｍｅｎｔ  Ｒｅｄ  ｌ２、Ｃ．Ｉ．Ｐｉｇｍｅｎｔ  Ｒｅｄ  ４８(Ｃａ)、Ｃ．Ｉ．Ｐｉｇｍｅｎｔ  Ｒｅｄ  ４８(Ｍｎ)、Ｃ．Ｉ．Ｐｉｇｍｅｎｔ  Ｒｅｄ  ５７(Ｃａ)、Ｃ．Ｉ．Ｐｉｇｍｅｎｔ  Ｒｅｄ  ｌｌ２、Ｃ．Ｉ．Ｐｉｇｍｅｎｔ  Ｒｅｄ  ｌ２２等が挙げられ、
シアンインクに使用される顔料としては、例えば、Ｃ．Ｉ．ＰｉｇｍｅｎｔＢｌｕｅ  １、Ｃ．Ｉ．Ｐｉｇｍｅｎｔ  Ｂｌｕｅ  ２、Ｃ．Ｉ．Ｐｉｇｍｅｎｔ  Ｂｌｕｅ  ３、Ｃ．Ｉ．Ｐｉｇｍｅｎｔ  Ｂｌｕｅ  ｌ５：３、Ｃ．Ｉ．Ｐｌｇｍｅｎｔ  Ｂｌｕｅ  ｌ６、Ｃ．Ｉ．Ｐｉｇｍｅｎｔ  Ｂｌｕｅ  ２２、Ｃ．Ｉ．Ｖａｔ  Ｂｌｕｅ  ４、Ｃ．Ｉ．Ｖａｔ  Ｂｌｕｅ  ６等が挙げられるが、これらに限られるものではない。又、以上の他、本発明の為に新たに製造された顔料も勿論、使用することが可能である。
【００３９】
本発明におけるインクの色材として、顔料が用いられている場合には、顔料の量は、インク全重量に対して、重量比で１〜２０重量％、好ましくは２〜１２重量％の範囲で用いる。
【００４０】
又、顔料を使用する場合に、顔料をインク中に含有させる分散剤としては、水溶性樹脂であれば如何なるものでも使用することが出来るが、重量平均分子量が１，０００〜３０，０００の範囲のものが好ましく、より好ましくは３，０００〜１５，０００の範囲のものが使用される。該分散剤として具体的には、スチレン、スチレン誘導体、ビニルナフタレン、ビニルナフタレン誘導体、α，β−エチレン性不飽和カルボン酸の脂肪族アルコールエステル等、アクリル酸、アクリル酸誘導体、マレイン酸、マレイン酸誘導体、イタコン酸、イタコン酸誘導体、フマール酸、フマール酸誘導体、酢酸ビニル、ビニルピロリドン、アクリルアミド、及びその誘導体等から選ばれた少なくとも２つ以上の単量体(このうち少なくとも１つは親水性単量体)からなるブロック共重合体、ランダム共重合体またはグラフト共重合体、ならびにこれらの塩等が挙げられる。或いは、ロジン、シェラック、デンプン等の天然樹脂も好ましく使用することが出来る。これらの樹脂は、塩基を溶解させた水溶液に可溶であり、アルカリ可溶型樹脂である。なお、これらの顔料分散剤として用いられる水溶性樹脂は、インク全重量に対して０．１〜５重量％の範囲で含有させるのが好ましい。
【００４１】
特に、上記した様な顔料が含有されているインクの場合には、インク全体が中性又はアルカリ性に調整されていることが好ましい。該インクは、顔料分散剤として使用される水溶性樹脂の溶解性を向上させ、長期保存性に一層優れ、好ましい。但し、インクジェット記録装置に使われている種々の部材の腐食原因となる場合があるので、好ましくは、７〜１０のｐＨ範囲とするのが望ましい。
【００４２】
この際に使用されるｐＨ調整剤としては、例えば、ジエタノールアミン、トリエタノールアミン等の各種有機アミン、水酸化ナトリウム、水酸化リチウム、水酸化カリウム等のアルカリ金属水酸化物等の無機アルカリ剤、有機酸や鉱酸等が挙げられる。上記した様な顔料及び分散剤である水溶性樹脂は、水性液媒体中に分散又は溶解される。
【００４３】
顔料が含有されたインクの作成には、始めに、分散剤としての水溶性樹脂及び水が少なくとも含有された水性媒体に顔料を添加し、撹拌した後、後述の分散手段を用いて分散を行い、必要に応じて遠心分離処理を行って所望の分散液を得る。この分散液にサイズ剤、及び、適宜に選択された添加剤成分を加え、撹拌して本発明におけるインクとする。
【００４４】
なお、分散剤として前記した様なアルカリ可溶型樹脂を使用する場合には、樹脂を溶解させる為に塩基を添加することが必要であるが、この際の塩基類としては、モノエタノールアミン、ジエタノールアミン、トリエタノールアミン、アミンメチルプロパノール、アンモニア等の有機アミン、或いは水酸化カリウム、水酸化ナトリウム等の無機塩基が好ましく使用される。
【００４５】
又、顔料が含有されているインクの作成方法においては、顔料を含む水性媒体を撹拌し、分散処理する前に、プレミキシングを３０分間以上行うのが効果的である。即ち、この様なプレミキシング操作は、顔料表面の濡れ性を改善し、顔料表面への分散剤の吸着を促進することが出来るため、好ましい。
【００４６】
顔料の分散処理の際に使用される分散機は、一般に使用される分散機であれば如何なるものでもよいが、例えば、ボールミル、ロールミル及びサンドミル等が挙げられる。その中でも、高速型のサンドミルが好ましく使用され、例えば、スーパーミル、サンドグラインダー、ビーズミル、アジテータミル、グレンミル、ダイノーミル、パールミル及びコボルミル(いずれも商品名)等が挙げられる。
【００４７】
又、顔料が含有されているインクをインクジェット記録方法に使用する場合には、耐目詰り性等の要請から、最適な粒度分布を有する顔料が用いられるが、所望の粒度分布を有する顔料を得る方法としては、分散機の粉砕メディアのサイズを小さくすること、粉砕メディアの充填率を大きくすること、処理時間を長くすること、吐出速度を遅くすること、粉砕後フィルターや遠心分離機等で分級すること及びこれらの手法の組み合わせ等が挙げられる。
【００４８】
又、両性界面活性剤をその等電点以下のｐＨに調整して含有させるのも好ましい態様である。この際に使用されるアニオン性界面活性剤の例としては、カルボン酸塩型、硫酸エステル型、スルホン酸塩型、燐酸エステル型等、一般に使用されているものをいずれも好ましく使用することが出来る。又、アニオン性高分子の例としては、アルカリ可溶型の樹脂、具体的には、ポリアクリル酸ソーダ、或いは高分子の一部にアクリル酸を共重合したもの等を挙げることが出来るが、勿論、これらに限定されない。
【００４９】
また、上述した水溶性染料と水分散性顔料を微妙な調色の目的や色濃度の調整などのために組み合わせることも可能である。このとき、水性染料と水分散性顔料は目的に応じて１０：１〜１：１０の範囲で配合可能である。
【００５０】
本発明における記録インクの物性として好適な範囲は２５℃付近で、ｐＨは３〜１２、好ましくは７〜１０、表面張力は１０〜６０ｄｙｎ／ｃｍ、好ましくは１０〜４０ｄｙｎ／ｃｍであり、粘度は１〜３０ｃｐｓ、好ましくは１〜５ｃｐｓである。
【００５１】
本発明においては着色剤と上述したカール防止剤となる化合物以外に水と混合して使用できる水溶性有機溶剤を適宜配合して用いることが好ましい。
【００５２】
上記水溶性有機溶剤としては、例えば、
（１）メチルアルコール、エチルアルコール、ｎ−プロピルアルコール、イソプロピルアルコール、ｎ−ブチルアルコール、sec−ブチルアルコール、tert−ブチルアルコール、イソブチルアルコール、ｎ−ペンタノール等の炭素数１〜５のアルキルアルコール類；
（２）ジメチルホルムアミド、ジメチルアセトアミド等のアミド類；
（３）アセトン、ジアセトンアルコール等のケトン又はケトアルコール類；
（４）テトラヒドロフラン、ジオキサン等のエーテル類；
（５）ジエチレングリコール、トリエチレングリコール、テトラエチレングリコール、ジプロピレングリコール、トリプロピレングリコール、エチレングリコール、プロピレングリコール、トリメチレングリコール、トリエチレングリコールなど２〜６個の炭素原子を含むアルキレングリコール類；
（６）グリセリン；
（７）エチレングリコールモノメチル(またはエチル)エーテル、ジエチレングリコールモノメチル(またはエチル、ブチル)エーテル、トリエチレングリコールモノメチル(またはエチル、ブチル)エーテル等の低級アルキルエーテル類；
（８）トリエチレングリコールジメチル(またはジエチル)エーテル、テトラエチレングリコールジメチル(またはジエチル)エーテル等の多価アルコールの低級ジアルキルエーテル類；
（９）モノエタノールアミン、ジエタノールアミン、トリエタノールアミン等のアルカノールアミン類；及び
（１０）スルホラン、Ｎ−メチル−２−ピロリドン、２−ピロリドン、１，３−ジメチル−２−イミダゾリジノン等が挙げられる。上記のごとき水溶性有機溶剤は、単独でも或いは混合物としても使用することができる。
【００５３】
また、使用される水の含有量としては、インク全重量の１０〜９０重量％、好ましくは３０〜８０重量％の範囲とすることができる。
【００５４】
本発明にかかるインクを用いた記録方法に使用される記録媒体としては、特に限定されるものではなくコピー用紙、ボンド紙等の普通紙が好ましく用いられる。
【００５５】
ここで普通紙とは一般に市販されているコピー用紙、コピー用再生紙、インクジェット用普通紙、カラーインクジェット用普通紙、インクジェット・電子写真共用紙、和紙等が挙げられる。より具体的には紙表面に特別の白色顔料がコートされていないか、コートされていても塗工量が少なく下地の紙(基紙)のパルプ繊維が部分的にでも露出しているものも含む。
【００５６】
本発明のインクは、熱エネルギーの作用により液滴を吐出させて記録を行うインクジェット記録方式にとりわけ好適に用いられるが、他のインクジェット記録方法や一般の筆記用具としても使用できることはいうまでもない。
【００５７】
次に、上述したインクを用いて被記録媒体に画像記録を行うのに好適な画像記録装置を用いた画像記録方法について説明する。
【００５８】
（記録装置）
上記した本発明にかかるインクを用いて記録を行うのに好適な方法及び装置としては、例えば、記録ヘッドの室内のインクに記録信号に対応した熱エネルギーを与え、該熱エネルギーにより液滴を発生させる方法及び装置が挙げられる。
【００５９】
（装置本体）
図１及び図２にインクジェット記録方式を用いたプリンタの概略構成例を示す。図１において、この実施形態におけるプリンタの装置本体Ｍ１０００の外郭は、下ケースＭ１００１、上ケースＭ１００２、アクセスカバーＭ１００３及び排出トレイＭ１００４を含む外装部材と、その外装部材内に収納されたシャーシＭ３０１９(図２参照)とから構成される。
【００６０】
シャーシＭ３０１９は、所定の剛性を有する複数の板状金属部材によって構成され、記録装置の骨格をなし、後述の各記録動作機構を保持するものとなっている。また、前記下ケースＭ１００１は装置本体Ｍ１０００の外装の略下半部を、上ケースＭ１００２は装置本体Ｍ１０００の外装の略上半部をそれぞれ形成しており、両ケースの組合せによって内部に後述の各機構を収納する収納空間を有する中空体構造をなしている。装置本体Ｍ１０００の上面部及び前面部には、それぞれ、開口部が形成されている。
【００６１】
さらに、排出トレイＭ１００４は、その一端部が下ケースＭ１００１に回転自在に保持され、その回転によって下ケースＭ１００１の前面部に形成される前記開口部を開閉させ得るようになっている。このため、記録動作を実行させる際には、排出トレイＭ１００４を前面側へと回転させて開口部を開成させることにより、ここから記録シートが排出可能となると共に排出された記録シートＰを順次積載し得るようになっている。また、排紙トレイＭ１００４には、２枚の補助トレイＭ１００４ａ，Ｍ１００４ｂが収納されており、必要に応じて各トレイを手前に引き出すことにより、用紙の支持面積を３段階に拡大、縮小させ得るようになっている。
【００６２】
アクセスカバーＭ１００３は、その一端部が上ケースＭ１００２に回転自在に保持され、上面に形成される開口部を開閉し得るようになっており、このアクセスカバーＭ１００３を開くことによって本体内部に収納されている記録ヘッドカートリッジＨ１０００あるいはインクタンクＨ１９００等の交換が可能となる。なお、ここでは特に図示しないが、アクセスカバーＭ１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００６３】
また、上ケースＭ１００２の後部上面には、電源キーＥ００１８及びレジュームキーＥ００１９が押下可能に設けられると共に、ＬＥＤ  Ｅ００２０が設けられており、電源キーＥ００１８を押下すると、ＬＥＤ  Ｅ００２０が点灯し記録可能であることをオペレータに知らせるものとなっている。また、ＬＥＤ  Ｅ００２０は点滅の仕方や色の変化をさせたり、プリンタのトラブル等をオペレータに知らせる等種々の表示機能を有する。なお、トラブル等が解決した場合には、レジュームキーＥ００１９を押下することによって記録が再開されるようになっている。
【００６４】
（記録動作機構）
次に、プリンタの装置本体Ｍ１０００に収納、保持される本実施形態における記録動作機構について説明する。
【００６５】
本実施形態における記録動作機構としては、記録シートＰを装置本体内へと自動的に給送する自動給送部Ｍ３０２２と、自動給送部から１枚ずつ送出される記録シートＰを所定の記録位置へと導くと共に、記録位置から排出部Ｍ３０３０へと記録シートＰを導く搬送部Ｍ３０２９と、記録位置に搬送された記録シートＰに所望の記録を行なう記録部と、前記記録部等に対する回復処理を行う回復部（Ｍ５０００）とから構成されている。
【００６６】
（記録部）
ここで、記録部について説明するに、その記録部は、キャリッジ軸Ｍ４０２１によって移動可能に支持されたキャリッジＭ４００１と、このキャリッジＭ４００１に着脱可能に搭載される記録ヘッドカートリッジＨ１０００とからなる。
【００６７】
（記録ヘッドカートリッジ）
つづいて記録部に用いられる記録ヘッドカートリッジについて図３〜１０に基づき説明する。
【００６８】
本発明の記録ヘッドＨ１００１は、図３(ａ)及び図３(ｂ)の斜視図でわかるように、記録ヘッドカートリッジＨ１０００を構成する一構成要素であり、記録ヘッドカートリッジＨ１０００は、記録ヘッドＨ１００１と記録ヘッドＨ１００１に着脱自在に設けられたインクタンクＨ１９００(Ｈ１９０１，Ｈ１９０２，Ｈ１９０３，Ｈ１９０４)とで構成されている。この記録ヘッドカートリッジH１０００は、インクジェット記録装置本体に載置されているキャリッジＭ４００１の位置決め手段及び電気的接点によって固定支持されるとともに、該キャリッジＭ４００１に対して着脱可能となっている。インクタンクＨ１９０１はブラックのインク用、インクタンクＨ１９０２はシアンのインク用、インクタンクＨ１９０３はマゼンタのインク用、インクタンクＨ１９０４はイエローのインク用である。この様にインクタンクＨ１９０１，Ｈ１９０２，Ｈ１９０３，Ｈ１９０４のそれぞれが記録ヘッドＨ１００１に対して着脱自在となり、それぞれのインクタンクが交換可能となっていることにより、インクジェット記録装置における印刷のランニングコストが低減される。
【００６９】
次に記録ヘッドＨ１００１に関してさらに詳しく記録ヘッドを構成しているそれぞれの構成要素毎に順を追って説明する。図４から図１０は、本発明が実施もしくは適用される好適なヘッドカートリッジ、記録ヘッド、インクタンクのそれぞれ及びそれぞれの関係を説明するための説明図である。以下、これらの図面を参照して各構成要素の説明を行う。
【００７０】
（１）記録ヘッド
記録ヘッドＨ１００１は、電気信号に応じて膜沸騰をインクに対して生じせしめるための熱エネルギーを生成する電気熱変換体を用いて記録を行うバブルジェット方式のサイドシュータ型とされる記録ヘッドである。
【００７１】
記録ヘッドＨ１００１は、図４の分解斜視図に示すように、記録素子ユニットＨ１００２とインク供給ユニットＨ１００３とタンクホルダーＨ２０００から構成される。
【００７２】
さらに、図５の分解斜視図に示すように、記録素子ユニットＨ１００２は、第一の記録素子基板Ｈ１１００、第二の記録素子基板Ｈ１１０１、第１のプレートＨ１２００、電気配線テープＨ１３００、電気コンタクト基板Ｈ２２００、第２のプレートＨ１４００で構成されており、また、インク供給ユニットＨ１００３は、インク供給部材Ｈ１５００、流路形成部材Ｈ１６００、ジョイントゴムＨ２３００、フィルターＨ１７００、シールゴムＨ１８００から構成されている。
【００７３】
（１−１）記録素子ユニット
図６は、第一の記録素子基板Ｈ１１００の構成を説明するために一部分解した斜視図である。第一の記録素子基板Ｈ１１００は、例えば、厚さ０．５〜１ｍｍのＳｉ基板Ｈ１１１０にインク流路として長溝状の貫通口からなるインク供給口Ｈ１１０２がＳｉの結晶方位を利用した異方性エッチングやサンドブラストなどの方法で形成され、インク供給口Ｈ１１０２を挟んだ両側に電気熱変換素子Ｈ１１０３がそれぞれ１列ずつ千鳥状に配列され、前記電気熱変換素子Ｈ１１０３と、電気熱変換素子Ｈ１１０３に電力を供給するＡｌなどの電気配線は成膜技術により形成されている。さらに、前記電気配線に電力を供給するための電極部Ｈ１１０４が電気熱変換素子Ｈ１１０３の両外側に配列されており、電極部Ｈ１１０４にはＡｕ等のバンプＨ１１０５が形成されている。そして、前記Ｓｉ基板上には、電気熱変換素子Ｈ１１０３に対応したインク流路を形成するためのインク流路壁Ｈ１１０６と吐出口Ｈ１１０７が樹脂材料でフォトリソ技術によりに形成され、吐出口群Ｈ１１０８を形成している。したがって、前記電気熱変換素子Ｈ１１０３に対向して前記吐出口が設けられているため、インク流路Ｈ１１０２から供給されたインクは電気熱変換素子Ｈ１１０３により発生した気泡により吐出される。
【００７４】
また図７は第二の記録素子基板Ｈ１１０１の構成を説明するために一部分解した斜視図である。第二の記録素子基板Ｈ１１０１は３色のインクを吐出させるための記録素子基板であり、３個のインク供給口Ｈ１１０２が並列して形成されており、それぞれのインク供給口を挟んだ両側に電気熱変換素子とインク吐出口が形成されている。もちろん第一の記録素子基板Ｈ１１００と同じようにＳｉ基板にインク供給口や電気熱変換素子、電気配線、電極部などが形成されておりその上に樹脂材料でフォトリソ技術によりインク流路やインク吐出口が形成されている。
【００７５】
そして第一の記録素子基板と同様に電気配線に電力を供給するための電極部Ｈ１１０４にはＡｕ等のバンプＨ１１０５が形成されている
次に第１のプレートＨ１２００は、例えば、厚さ０．５〜１０ｍｍのアルミナ(Ａｌ2Ｏ3)材料で形成されている。なお、第１のプレートの素材は、アルミナに限られることなく、記録素子基板Ｈ１１００の材料の線膨張率と同等の線膨張率を有し、かつ、記録素子基板Ｈ１１００材料の熱伝導率と同等もしくは同等以上の熱伝導率を有する材料で作られてもよい。第１のプレートＨ１２００の素材は、例えば、シリコン(Ｓｉ)、窒化アルミニウム(ＡｌＮ)、ジルコニア、窒化珪素(Ｓｉ3Ｎ4)、炭化珪素(ＳｉＣ)、モリブデン(Ｍｏ)、タングステン(Ｗ)のうちのいずれであってもよい。第１のプレートＨ１２００には、第一の記録素子基板Ｈ１１００にブラックのインクを供給するためのインク供給口Ｈ１２０１と第二の記録素子基板Ｈ１１０１にシアン、マゼンタ、イエローのインクを供給するためのインク供給口Ｈ１２０１が形成されており、記録素子基板のインク供給口１１０２が第１のプレートＨ１２００のインク供給口Ｈ１２０１にそれぞれ対応し、かつ、第一の記録素子基板Ｈ１１００と第二の記録素子基板Ｈ１１０１はそれぞれ第１のプレートＨ１２００に対して位置精度良く接着固定される。接着に用いられる第１の接着剤Ｈ１２０２は、低粘度で硬化温度が低く、短時間で硬化し、硬化後比較的高い硬度を有し、かつ、耐インク性のあるものが望ましい。その第１の接着剤Ｈ１２０２は、例えば、エポキシ樹脂を主成分とした熱硬化接着剤であり、接着層の厚みは５０μｍ以下が望ましい。
【００７６】
電気配線テープＨ１３００は、第一の記録素子基板Ｈ１１００と第二の記録素子基板Ｈ１１０１に対してインクを吐出するための電気信号を印加するものであり、それぞれの記録素子基板を組み込むための複数の開口部と、それぞれの記録素子基板の電極部Ｈ１１０４に対応する電極端子Ｈ１３０２(不図示)と、この配線テープ端部に位置し本体装置からの電気信号を受け取るための外部信号入力端子Ｈ１３０１を有した電気コンタクト基板Ｈ２２００と電気的接続をおこなうための電極端子部Ｈ１３０３(不図示)を有しており電極端子Ｈ１３０２と電極端子１３０３は連続した銅箔の配線パターンでつながっている。
【００７７】
電気配線テープＨ１３００と第一の記録素子基板１１００と第二の記録素子基板Ｈ１１０１は、それぞれ電気的に接続されており、接続方法は、例えば、記録素子基板の電極部１１０４と電気配線テープＨ１３００の電極端子Ｈ１３０２が熱超音波圧着法により電気接合されている。
【００７８】
第２のプレートH１４００は、例えば、厚さ０．５〜１ｍｍの一枚の板状部材であり、例えばアルミナ(Ａｌ2Ｏ3)等のセラミックや、Ａｌ、ＳＵＳなどの金属材料で形成されている。
【００７９】
そして、第１のプレートＨ１２００に接着固定された第一の記録素子基板Ｈ１１００と第二の記録素子基板Ｈ１１０１の外形寸法よりも大きな開口部をそれぞれ有する形状となっている。また、第一の記録素子基板Ｈ１１００および第二の記録素子基板Ｈ１１０１と電気配線テープＨ１３００を平面的に電気接続できるように第１のプレートＨ１２００に第２の接着剤Ｈ１２０３により接着されており、電気配線テープＨ１３００の裏面が第３の接着剤Ｈ１３０６により接着固定される。
【００８０】
第一の記録素子基板Ｈ１１００及び第二の記録素子基板Ｈ１１０１と電気配線テープＨ１３００の電気接続部分は、第１の封止剤Ｈ１３０７(不図示)及び第２の封止剤Ｈ１３０８により封止され、電気接続部分をインクによる腐食や外的衝撃から保護している。第１の封止剤は、主に電気配線テープの電極端子Ｈ１３０２と記録素子基板の電極部Ｈ１１０５との接続部の裏面側と記録素子基板の外周部分を封止し、第２の封止剤は、前記接続部の表側を封止している
さらに電気配線テープの端部に本体装置からの電気信号を受け取るための外部信号入力端子Ｈ１３０１を有した電気コンタクト基板Ｈ２２００を異方性導電フィルム等を用いて熱圧着して電気的に接続する。
【００８１】
そして電気配線テープＨ１３００は、第１のプレートＨ１２００の一側面で折り曲げられ、第１のプレートＨ１２００の側面に第３の接着剤Ｈ１３０６(不図示)で接着される。第３の接着剤Ｈ１３０６は、例えば、エポキシ樹脂を主成分とした厚さ１０〜１００μｍの熱硬化接着剤が使用される。
【００８２】
（１−２）インク供給ユニット
インク供給部材Ｈ１５００は、例えば、樹脂成形により形成されている。該樹脂材料には、形状的剛性を向上させるためにガラスフィラーを５〜４０％混入した樹脂材料を使用することが望ましい。
【００８３】
図５、図８に示すように、インク供給部材Ｈ１５００は、インクタンクＨ１９００から記録素子ユニットＨ１００２にインクを導くためのインク供給ユニットＨ１００３の一構成部品であり、流路形成部材Ｈ１６００を超音波溶着することによりインク流路Ｈ１５０１を形成している。また、インクタンクＨ１９００と係合するジョイントＨ１５１７には、外部からのゴミの進入を防ぐためのフィルターＨ１７００が溶着により接合されており、さらに、ジョイントＨ１５１７部からのインクの蒸発を防止するために、シールゴムＨ１８００が装着されている。
【００８４】
またインク供給部材Ｈ１５００は、着脱自在のインクタンクＨ１９００を保持する機能も一部有しており、インクタンクＨ１９００の第２の爪Ｈ１９１０を係合する第１の穴Ｈ１５０３を有している。
【００８５】
また、記録ヘッドカートリッジＨ１０００をインクジェット記録装置本体のキャリッジＭ４００１に装着位置に案内するための装着ガイドＨ１６０１、記録ヘッドカートリッジをヘッドセットレバーによりキャリッジＭ４００１に装着固定するための係合部Ｈ１５０８、及びキャリッジＭ４００１の所定の装着位置に位置決めするためのＸ方向(キャリッジスキャン方向)の突き当て部Ｈ１５０９、Ｙ方向(記録メディア搬送方向)の突き当て部Ｈ１５１０、Ｚ方向(インク吐出方向)の突き当て部Ｈ１５１１を備えている。また、記録素子ユニットＨ１００２の電気コンタクト基板Ｈ２２００を位置決め固定する端子固定部Ｈ１５１２を有し、端子固定部Ｈ１５１２及びその周囲には複数のリブが設けられ、端子固定部Ｈ１５１２を有する面の剛性を高めている。
【００８６】
（１−３）記録ヘッドユニットとインク供給ユニットの結合
先述の図４に示した通り、記録ヘッドＨ１００１は、記録素子ユニットＨ１００２をインク供給ユニットＨ１００３に結合しさらにタンクホルダーＨ２０００と結合することにより完成する。結合は以下のように行われる。
【００８７】
記録素子ユニットＨ１００２のインク供給口(第１のプレートＨ１２００のインク供給口Ｈ１２０１)とインク供給ユニットＨ１００３のインク供給口(流路形成部材Ｈ１６００のインク供給口Ｈ１６０１)をインクがリークしないように連通させるため、ジョイントゴムＨ２３００を介してそれぞれの部材を圧着するようビスＨ２４００で固定する。この際同時に、記録素子ユニットＨ１００２はインク供給ユニットのＸ方向、Ｙ方向、Ｚ方向の基準位置に対して正確に位置決めがされ固定される。
【００８８】
そして記録素子ユニットＨ１００２の電気コンタクト基板Ｈ１３０１はインク供給部材Ｈ１５００の一側面に、端子位置決めピンＨ１５１５(２ヶ所)と端子位置決め穴Ｈ１３０９(２ヶ所)により位置決めされ、固定される。固定方法は、例えば、インク供給部材Ｈ１５００に設けられた端子結合ピンＨ１５１５をかしめることにより固定されるが、その他の固定手段を用いて固定しても良い。完成図を図９に示す
さらにインク供給部材Ｈ１５００のタンクホルダーとの結合穴及び結合部をタンクホルダーＨ２０００に勘合させ結合することにより記録ヘッドＨ１００１が完成する。完成図を図１０に示す。
【００８９】
（２）記録ヘッドカートリッジの説明
先述の図３(ａ)，(ｂ)は、記録ヘッドカートリッジＨ１０００を構成する記録ヘッドＨ１００１とインクタンクＨ１９０１、Ｈ１９０２、Ｈ１９０３、Ｈ１９０４の装着を説明する図であり、インクタンクＨ１９０１、Ｈ１９０２、Ｈ１９０３、Ｈ１９０４の内部には、対応する色のインクが収納されている。また、図８に示すようにそれぞれのインクタンクには、インクタンク内のインクを記録ヘッドＨ１００１に供給するためのインク供給口Ｈ１９０７が形成されている。例えばインクタンクＨ１９０１が記録ヘッドＨ１００１に装着されると、インクタンクＨ１９０１のインク供給口Ｈ１９０７が記録ヘッドＨ１００１のジョイント部Ｈ１５２０に設けられたフィルターＨ１７００と圧接され、インクタンクＨ１９０１内のブラックインクがインク供給口Ｈ１９０７から記録ヘッドＨ１００１のインク流路Ｈ１５０１を介して第一のプレートＨ１２００を通り第一の記録素子基板に供給される。
【００９０】
そして、電気熱変換素子Ｈ１１０３と吐出口Ｈ１１０７のある発泡室Ｈ１１０９にインクが供給され、電気熱変換素子Ｈ１１０３に与えられる熱エネルギーによって被記録媒体である記録用紙に向けて吐出される。
【００９１】
以上のとおり、上記インクジェット記録法によって本発明のインクを被記録媒体に向けて吐出し画像形成する工程、を有する、被記録媒体のカール低減方法を提供することができる。
【実施例】
【００９２】
次に、実施例及び比較例を挙げることにより本発明を具体的に説明する。本発明は、その要旨を超えない限り、下記実施例により限定されるものではない。なお、文中「部」または「％」とあるのは特に断りのない限り質量基準である。
【００９３】
（実施例１〜３および比較例１）
実施例１〜３のそれぞれに使用する、対応する記録インク１〜３、および比較例１に使用する比較インク１を、それぞれ下記の成分を混合し、さらにポアサイズが０．２ミクロンのメンブレンフィルターにて加圧濾過し、作製した。
【００９４】
（記録インク１１）
Ｃ．Ｉ．ダイレクトブルー１９９                          ３部
グリセリン                                            １５部
エチレン尿素                                          １０部
化合物１        （一般式（１）において：Ｒ＝（ＣＨ2）4）       ５部
アセチレノールＥＨ（川研ファインケミカル製）            １部
イオン交換水                                          ６６部。
【００９５】
（記録インク１２）
Ｃ．Ｉ．ダイレクトブルー１９９                          ３部
グリセリン                                            １５部
エチレン尿素                                          １０部
化合物１        （一般式（１）において：Ｒ＝（ＣＨ2）4）       ８部
アセチレノールＥＨ（川研ファインケミカル製）            １部
イオン交換水                                          ６３部。
【００９６】
（記録インク１３）
Ｃ．Ｉ．ダイレクトブルー１９９                          ３部
グリセリン                                            １５部
エチレン尿素                                          １０部
化合物１        （一般式（１）において：Ｒ＝（ＣＨ2）4）     １０部
アセチレノールＥＨ（川研ファインケミカル製）            １部
イオン交換水                                          ６１部。
【００９７】
（記録インク２１）
Ｃ．Ｉ．ダイレクトブルー１９９                              ３部
グリセリン                                                １５部
エチレン尿素                                              １０部
化合物２（一般式（１）において：Ｒはシクロヘキシレン）      ３部
アセチレノールＥＨ（川研ファインケミカル製）                １部
イオン交換水                                              ６８部。
【００９８】
（記録インク２２）
Ｃ．Ｉ．ダイレクトブルー１９９                              ３部
グリセリン                                                １５部
エチレン尿素                                              １０部
化合物２（一般式（１）において：Ｒはシクロヘキシレン）      ７部
アセチレノールＥＨ（川研ファインケミカル製）                １部
イオン交換水                                              ６４部。
【００９９】
（記録インク２３）
Ｃ．Ｉ．ダイレクトブルー１９９                              ３部
グリセリン                                                １５部
エチレン尿素                                              １０部
化合物２（一般式（１）において：Ｒはシクロヘキシレン）    １３部
アセチレノールＥＨ（川研ファインケミカル製）                １部
イオン交換水                                              ６８部。
【０１００】
（記録インク３１）
Ｃ．Ｉ．ダイレクトブルー１９９                              ３部
グリセリン                                                １５部
１，６−ヘキサンジオール                                  １０部
化合物３（一般式（１）において：Ｒはｐ−Ｃ6Ｈ4）            ３部
アセチレノールＥＨ（川研ファインケミカル製）                １部
イオン交換水                                              ６８部。
【０１０１】
（記録インク３２）
Ｃ．Ｉ．ダイレクトブルー１９９                              ３部
グリセリン                                                １５部
１，６−ヘキサンジオール                                  １０部
化合物３（一般式（１）において：Ｒはｐ−Ｃ6Ｈ4）            ５部
アセチレノールＥＨ（川研ファインケミカル製）                １部
イオン交換水                                              ６３部。
【０１０２】
（記録インク３３）
Ｃ．Ｉ．ダイレクトブルー１９９                              ３部
グリセリン                                                １５部
１，６−ヘキサンジオール                                  １０部
化合物３（一般式（１）において：Ｒはｐ−Ｃ6Ｈ4）            ８部
アセチレノールＥＨ（川研ファインケミカル製）                １部
イオン交換水                                              ６３部。
【０１０３】
（比較インク１）
Ｃ．Ｉ．ダイレクトブルー１９９                          ３部
グリセリン                                            １５部
エチレン尿素                                          １０部
アセチレノールＥＨ（川研ファインケミカル製）            １部
イオン交換水                                          ７１部。
【０１０４】
実施例に用いたインクジェト記録装置は図４と同様の記録装置である。用いた記録ヘッドは１２００ｄｐｉの記録密度を有し、駆動条件は駆動周波数１０ｋＨｚとした。１２００ｄｐｉのヘッドを使用したときの１ドット当たりの吐出量は４．５ｐＬであった。なおこれらの記録条件は実施例および比較例にわたって同一である。
【０１０５】
実施例１〜３および比較例１においては、この記録ヘッドとヘッドとを用いてＡ４用フルベタ(２０．３×２７．１ｃｍ)のカラー画像を形成した。評価に用いた記録紙はＡ４サイズのＰＰＣ用紙(キヤノン製)である。また、印字は印字領域を１回の走査で行う１パス印字を行い、実施例１〜３および比較例１にわたって、記録媒体への付着領域は、インクの画像形成領域に対して、すなわち印字のデューティは１００％である。上記条件で記録した記録物のカール量および吐出安定性を以下のようにして評価した。
【０１０６】
（カール）
記録物を常温／常湿下で３日間放置した後、カール量を測定した。記録物の紙が凹方向にカールした場合を＋(プラスカール)、凸方向にカールした場合を−(マイナスカール)とし、カールした紙の先端から紙の接地面までの距離を定規で測定した。数値は紙の４すみの平均を求めカール量とした。カール判定基準を以下に示す。
Ａ：±２０ｍｍ未満
Ｂ：±２０ｍｍ以上±３５ｍｍ未満
Ｃ：±３５ｍｍ以上。
【０１０７】
（吐出安定性）
インク安定性にかかわる評価として、ノズル詰まりなどの問題が生じるか否かを、上記のインクをヘッドにセッティング後、１ヶ月間常温常湿下で放置したのちに記録を行い、画像の乱れ及びかすれにより確認した。吐出安定性の基準を以下に示す。
Ａ：かすれ無し
Ｂ：ややかすれがある
Ｃ：かすれがある
Ｄ：インク不吐出のため画像が形成されない。
【０１０８】
評価結果を表１に示す。
【０１０９】
【表１】
2005139385.tif 000004
【０１１０】
表１に示す通り、本発明における組成の化合物を含有する記録インクである実施例１〜３はカール量が少なく、実用上問題がないのに対し、比較例１はカール量が大きかった。
【０１１１】
（実施例４）
次に着色剤を変更した以外は実施例１と同様にして記録インクのインクセット得た。なお、以下の成分における化合物１は、実施例１の記録インク１に用いられている化合物と同じものである。
【０１１２】
（イエロー記録インク）
Ｃ．Ｉ．アシッドイエロー２３                                  ３部
グリセリン                                                  １５部
１，５−ペンタンジオール                                    １０部
化合物１                                                              ５部
アセチレノールＥＨ（川研ファインケミカル製）                  １部
イオン交換水                                                ６６部
（マゼンタ記録インク）
Ｐｒｏｊｅｔ  Ｆａｓｔ  Ｍａｇｅｎｔａ２（Ｚｅｎｅｃａ社製）  ３部
グリセリン                                                  １５部
１，５−ペンタンジオール                                    １０部
化合物１                                                              ５部
アセチレノールＥＨ（川研ファインケミカル製）                  １部
イオン交換水                                                ６６部
（シアン記録インク）
Ｃ．Ｉ．ダイレクトブルー１９９                                ３部
グリセリン                                                  １５部
１，５−ペンタンジオール                                    １０部
化合物１                                                              ５部
アセチレノールＥＨ（川研ファインケミカル製）                  １部
イオン交換水                                                ６６部
（ブラック記録インク）
Ｃ．Ｉ．ダイレクトブラック１９５                              ４部
グリセリン                                                  １５部
１，６−ヘキサンジオール                                    １０部
化合物１                                                              ５部
アセチレノールＥＨ（川研ファインケミカル製）                  １部
イオン交換水                                                ６５部。
【０１１３】
以上によりイエロー記録インク、マゼンタ記録インク、シアン記録インクおよびブラック記録インクの４色からなる記録インクセットを得た。これらの記録インクそれぞれにおいて、実施例１と同様の評価を行い、評価結果を表２に示す。
【０１１４】
【表２】
2005139385.tif 000005
【０１１５】
表２に示すとおり、本発明における組成の化合物を含有する記録インクセットを用いた実施例４において、カール量及び安定性は良好であった。また、これらの４色を組み合わせたパターンを記録した際にもカールを抑制した。
【図面の簡単な説明】
【０１１６】
【図１】本発明の実施形態におけるインクジェットプリンタの外観構成を示す斜視図である。
【図２】図１に示すものの外装部材を取り外した状態を示す斜視図である。
【図３】図３（ａ）は本発明のインクジェット記録ヘッドを搭載可能な、好適な記録ヘッドカートリッジの斜視図、図３（ｂ）はその分解斜視図である。
【図４】図３に示す記録ヘッドの構成を示す分解斜視図である。
【図５】図３に示す記録ヘッドをさらに細かく分解した分解斜視図である。
【図６】図３の記録ヘッドカートリッジの記録素子基板の構成を示す一部切りかき説明斜視図である。
【図７】図３の記録ヘッドカートリッジの他の記録素子基板の構成を示す一部切りかき説明斜視図である。
【図８】図３の記録ヘッドカートリッジの要部断面図である。
【図９】図３の記録ヘッドカートリッジの記録素子ユニットとインク供給ユニットを組み立てたものを示す斜視図である。
【図１０】図３の記録ヘッドカートリッジの底面側を示す斜視図である。
【符号の説明】
【０１１７】
Ｍ１０００    装置本体
Ｍ１００１    下ケース
Ｍ１００２    上ケース
Ｍ１００３    アクセスカバー
Ｍ１００４    排出トレイ
Ｍ２０１５    紙間調整レバー
Ｍ３００１    ＬＦローラ
Ｍ３００６    排紙ローラ
Ｍ３０１９    シャーシ
Ｍ３０２２    自動給送部
Ｍ３０２９    搬送部
Ｍ３０３０    排出部
Ｍ４００１    キャリッジ
Ｍ４００２    キャリッジカバー
Ｍ４００７    ヘッドセットレバー
Ｍ４０２１    キャリッジ軸
Ｍ５０００    回復系ユニット
Ｅ０００１    キャリッジモータ
Ｅ０００２    ＬＦモータ
Ｅ００１８    電源キー
Ｅ００１９    レジュームキー
Ｅ００２０    ＬＥＤ
Ｈ１０００    記録ヘッドカートリッジ
Ｈ１００１    記録ヘッド（インクジェット記録ヘッド）
Ｈ１００２    記録素子ユニット
Ｈ１００３    インク供給ユニット
Ｈ１１００    第１の記録素子基板
Ｈ１１０１    第２の記録素子基板
Ｈ１１０２    インク供給口（供給口）
Ｈ１１０３    電気熱変換素子（記録素子）
Ｈ１１０４    電極
Ｈ１１０５    バンプ
Ｈ１１０６    インク流路壁
Ｈ１１０７    吐出口
Ｈ１１０８    吐出口群
Ｈ１１１０    Ｓｉ基板
Ｈ１２００    第１のプレート（第１の支持部材）
Ｈ１２０１    インク連通口
Ｈ１２０２    第１の接着剤
Ｈ１２０３    第２の接着剤
Ｈ１３００    電気配線テープ（可撓性の配線基板）
Ｈ１３０１    外部信号入力端子
Ｈ１３０２    電極リード
Ｈ１３０６    第３の接着剤
Ｈ１３０７    第１の封止剤
Ｈ１３０８    第２の封止剤
Ｈ１３０９    端子位置決め穴
Ｈ１３１０    端子固定部
Ｈ１４００    第２のプレート
Ｈ１５００    インク供給部材
Ｈ１５０１    インク流路
Ｈ１５０３    第１の穴
Ｈ１５０９    Ｘ突き当て部
Ｈ１５１０    Ｙ突き当て部
Ｈ１５１１    Ｚ突き当て部
Ｈ１５１２    端子固定部
Ｈ１５１６    端子位置決めピン
Ｈ１５２０    ジョイント部
Ｈ１６００    流路形成部材
Ｈ１６０１    装着ガイド
Ｈ１６０２    インク連通口
Ｈ１７００    フィルター
Ｈ１８００    シールゴム
Ｈ１９００    インクタンク
Ｈ１９０１    ブラックインクタンク
Ｈ１９０２    シアンインクタンク
Ｈ１９０３    マゼンタインクタンク
Ｈ１９０４    イエローインクタンク
Ｈ１９０７    インク連通口
Ｈ１９１０    第２の爪
Ｈ２０００    タンクホルダー
Ｈ２２００    電気コンタクト基板
Ｈ２３００    ジョイントシール部材
Ｈ２４００    ビス
【図１】
2005139385.tif 000010
【図２】
2005139385.tif 000011
【図３】
2005139385.tif 000012
【図４】
2005139385.tif 000013
【図５】
2005139385.tif 000014
【図６】
2005139385.tif 000015
【図７】
2005139385.tif 000016
【図８】
2005139385.tif 000017
【図９】
2005139385.tif 000018
【図１０】
2005139385.tif 000019